(57)【要約】【課題】タッチスクリーンを備えた端末装置をその持ち方によらず、安定して持つことができようにする。【解決手段】加速度センサ１０からの検出結果（携帯電話機のＸ軸、Ｙ軸の軸周りに回転する方向の加速度）に基づいて制御部１は、携帯電話機を片手で持たれているのか、両手で持たれているのかを判別し、片手で持たれている場合にはタッチスクリーンＴＳ上の一部分にタッチ操作を無効とするタッチ無効化領域を確保する。これによって親指などをタッチ無効化領域に休ませる（指を置く）ことができる。【選択図】  図１
2011028603.tif 000002
【特許請求の範囲】
【請求項１】
タッチスクリーンを備えた端末装置であって、
当該端末装置の持ち方を判別する持ち方判別手段と、
この持ち方判別手段によって判別された持ち方に応じて、前記タッチスクリーン上の一部分にタッチ操作を無効とするタッチ無効化領域を確保する制御手段と、
を具備したことを特徴とする端末装置。
【請求項２】
前記持ち方判別手段は、当該端末装置の持ち方として両手あるいは片手のどちらで持っているかを判別し、
前記制御手段は、前記持ち方判別手段によって片手で持っていると判別された場合に、前記タッチスクリーン上の一部分にタッチ無効化領域を確保する、
ようにしたことを特徴とする請求項１記載の端末装置。
【請求項３】
当該端末装置に加わる加速度を検出する加速度検出手段を更に備え、
前記持ち方判別手段は、前記タッチスクリーンへのタッチ操作中に、前記加速度検出手段によって当該端末装置のＸ軸あるいはＹ軸の軸周りに回転する方向の加速度が所定時間以上検出された場合に、片手で持たれていると判別する、
ようにしたことを特徴とする請求項２記載の端末装置。
【請求項４】
前記持ち方判別手段は、当該端末装置のどの側面が持たれているかを判別し、
前記制御手段は、前記タッチ無効化領域を前記持ち方判別手段によって判別された側面側に確保する、
ようにしたことを特徴とする請求項２記載の端末装置。
【請求項５】
前記タッチスクリーンへのタッチ操作が所定時間行われていないか否かを判別する時間判別手段を更に備え、
前記制御手段は、前記時間判別手段によって前記タッチスクリーンへのタッチ操作が所定時間行われていないと判別された場合に、持ち方判別手段によって判別された持ち方に応じて、前記タッチスクリーン上の一部分にタッチ操作を無効とするタッチ無効化領域を確保する、
ようにしたことを特徴とする請求項１記載の端末装置。
【請求項６】
前記制御手段は、前記タッチスクリーンへのタッチ操作が再開された際に、前記タッチ無効化領域を解除して当該タッチスクリーンを元の状態に戻す、
ようにしたことを特徴とする請求項１記載の端末装置。
【請求項７】
前記制御手段は、タッチスクリーン上の表示内容を所定の方向にスクロールさせることによって生成された非表示領域をタッチ無効化領域として確保する、
ようにしたことを特徴とする請求１項記載の端末装置。
【請求項８】
コンピュータに対して、
当該端末装置の持ち方を判別する機能と、
前記判別された持ち方に応じて、タッチスクリーン上の一部分にタッチ操作を無効とするタッチ無効化領域を確保する機能と、
を実現させるためのプログラム。
【発明の詳細な説明】
【技術分野】
【０００１】
本発明は、タッチスクリーンを備えた端末装置及びプログラムに関する。
【背景技術】
【０００２】
近年、指で接触することによってコマンドやデータを入力するタッチスクリーンを備えた端末装置（例えば、携帯電話機）では、使用するアプリケーションの種類や状態に応じて操作画面（タッチ入力画面）を任意に変更可能となっている。更に、従来では、タッチスクリーンを備えた端末装置を片手で持ちながら、その手の親指でタッチスクリーン上をタッチ操作するようにした技術が開示されている（特許文献１）。
【先行技術文献】
【特許文献】
【０００３】
【特許文献１】特開２００８−１５２４４１号公報
【発明の概要】
【発明が解決しようとする課題】
【０００４】
しかしながら、上述した先行技術においては、端末装置を片手で持って親指操作を行う場合、無闇にタッチスクリーン上に指を置くことができず、持ち方が不安定となって疲れたり、その持ち方によってはタッチスクリーン上に間違って指が触れてしまい、意図しないタッチ操作となったりするという問題がある。
【０００５】
本発明の課題は、タッチスクリーンを備えた端末装置をその持ち方によらず、安定して持つことができようにすることである。
【課題を解決するための手段】
【０００６】
上述した課題を解決するために請求項１記載の発明は、タッチスクリーンを備えた端末装置であって、当該端末装置の持ち方を判別する持ち方判別手段と、この持ち方判別手段によって判別された持ち方に応じて、前記タッチスクリーン上の一部分にタッチ操作を無効とするタッチ無効化領域を確保する制御手段と、を具備したことを特徴とする。
【０００７】
請求項１に従属する発明として、前記持ち方判別手段は、当該端末装置の持ち方として両手あるいは片手のどちらで持っているかを判別し、前記制御手段は、前記持ち方判別手段によって片手で持っていると判別された場合に、前記タッチスクリーン上の一部分にタッチ無効化領域を確保する、ようにしたことを特徴とする請求項２記載の発明であってもよい。
【０００８】
請求項２に従属する発明として、当該端末装置に加わる加速度を検出する加速度検出手段を更に備え、前記持ち方判別手段は、前記タッチスクリーンへのタッチ操作中に、前記加速度検出手段によって当該端末装置のＸ軸あるいはＹ軸の軸周りに回転する方向の加速度が所定時間以上検出された場合に、片手で持たれていると判別する、ようにしたことを特徴とする請求項３記載の発明であってもよい。
【０００９】
請求項２に従属する発明として、前記持ち方判別手段は、当該端末装置のどの側面が持たれているかを判別し、前記制御手段は、前記タッチ無効化領域を前記持ち方判別手段によって判別された側面側に確保する、ようにしたことを特徴とする請求項４記載の発明であってもよい。
【００１０】
請求項１に従属する発明として、前記タッチスクリーンへのタッチ操作が所定時間行われていないか否かを判別する時間判別手段を更に備え、前記制御手段は、前記時間判別手段によって前記タッチスクリーンへのタッチ操作が所定時間行われていないと判別された場合に、持ち方判別手段によって判別された持ち方に応じて、前記タッチスクリーン上の一部分にタッチ操作を無効とするタッチ無効化領域を確保する、ようにしたことを特徴とする請求項５記載の発明であってもよい。
【００１１】
請求項１に従属する発明として、前記制御手段は、前記タッチスクリーンへのタッチ操作が再開された際に、前記タッチ無効化領域を解除して当該タッチスクリーンを元の状態に戻す、ようにしたことを特徴とする請求項６記載の発明であってもよい。
【００１２】
請求項１に従属する発明として、前記制御手段は、タッチスクリーン上の表示内容を所定の方向にスクロールさせることによって生成された非表示領域をタッチ無効化領域として確保する、ようにしたことを特徴とする請求項７記載の発明であってもよい。
【００１３】
また、上述した課題を解決するために請求項８記載の発明は、コンピュータに対して、  当該端末装置の持ち方を判別する機能と、前記判別された持ち方に応じて、タッチスクリーン上の一部分にタッチ操作を無効とするタッチ無効化領域を確保する機能と、を実現させるためのプログラムを特徴とする。
【発明の効果】
【００１４】
本発明によれば、タッチスクリーンを備えた端末装置をその持ち方によらず、安定して持つことができる。
【図面の簡単な説明】
【００１５】
【図１】端末装置として適用した携帯電話機の基本的な構成要素を示したブロック図  。
【図２】タッチスクリーンＴＳへのタッチ操作中に携帯電話機に加わる振動として加速度センサ１０によって検出されるＸ軸、Ｙ軸の軸周りに回転する方向の加速度を示した図。
【図３】（１）〜（４）は、携帯電話機が片手で持たれている場合に、タッチスクリーンＴＳの一部分にタッチ無効化領域ＴＩが確保される様子を説明するための図。
【図４】電源投入に応じて実行開始される携帯電話機の動作（本実施形態の特徴的な動作）を説明するためのフローチャート。
【図５】持ち方判別処理（図４のステップＡ１６）を詳述するためのフローチャート。
【図６】第２実施形態において、携帯電話機（筐体）のどの側面が片手で持たれたかを検出するタッチセンサ１１の配設位置を説明するための図。
【図７】（１）〜（４）は、第２実施形態において携帯電話機のどの側面が持たれたかによってタッチ無効化領域ＴＩが配設される位置を説明するための図。
【図８】第２実施形態において、一定時間毎（例えば、１秒毎）の割り込みによって実行開始されるタッチスクリーン一部無効化処理を示したフローチャート。
【発明を実施するための形態】
【００１６】
（実施形態１）
【００１７】
以下、図１〜図５を参照して本発明の第１実施形態を説明する。
本実施形態は、端末装置として携帯電話機に適用した場合を例示したもので、図１は、この携帯電話機の基本的な構成要素を示したブロック図である。
携帯電話機には、音声通話機能、電子メール機能、インターネット接続機能（Ｗｅｂアクセス機能）などが備えられている。制御部１は、二次電池を備えた電源部２からの電力供給によって動作し、記憶部３内の各種のプログラムに応じてこの端末装置の全体動作を制御するもので、この制御部１にはＣＰＵ（中央演算処理装置）やメモリなどが設けられている。
【００１８】
記憶部３は、ＲＯＭ、ＲＡＭなどの内部メモリで、プログラム領域とデータ領域とを有し、このプログラム領域には、後述する図４及び図５に示す動作手順に応じて本実施形態を実現するためのプログラムが格納されている。また、記憶部３のデータ領域には、フラグ情報（後述する判定済みフラグＦ１、タッチ無操作フラグＦ２など）、タイマ情報（後述する判定用タイマＪＴなど）、カウンタ情報（後述する検出回数カウンタＮＣなど）、その他、この携帯電話機の動作に必要な各種の情報が一時記憶されている。
【００１９】
操作部４は、十字キー（決定キーやカーソルキー）、数値キー、文字キーなど、各種の押し釦式のキーを備え、ダイヤル入力、文字入力、コマンド入力などを行うもので、制御部１は、操作部４からの操作信号に応じた処理として、例えば、発信処理、電子メール作成処理など、各種の処理を行う。通信部５は、音声通話機能の構成要素であり、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部６を介して通話用スピーカＳＰから音声出力させ、また、通話用マイクＭＣからの入力音声データを電話部６から取り込み、送信ベースバンド信号に符号化したのち、ベースバンド部の送信側に与えてアンテナＡＴから発信出力させる。
【００２０】
表示部７は、例えば、高精細液晶あるいは有機ＥＬを使用し、待受画像などを表示するもので、この表示部７の表面全体には透明なタッチセンサ８が重ね合わせて配設されている。このように表示部７の表面に透明なタッチセンサ８を積層配設することによってタッチスクリーンＴＳが構成されている。タッチスクリーンＴＳは、人体の接触を検出する静電容量型のタッチセンサ８を有する構成で、各種のタッチキーが配置されており、文字入力、コマンド入力などを行う。制御部１は、タッチスクリーンＴＳからのタッチ入力信号に応じた処理を実行する。また、タッチスクリーンＴＳは、この携帯電話機の筐体の表面周縁部を除き略表面全体に形成されている矩形な入力表示領域である。時計部９は現在日時を計時するもので、制御部１は、いずれかのタッチ操作が行われる毎に現在日時を、前回タッチ操作を行った前回タッチ操作日時として更新するようにしている。
【００２１】
加速度センサ１０は、携帯電話機に加わる振動（加速度）を検出するもので、例えば、３軸タイプの加速度センサ（３軸方向振動センサ）によって構成されている。この場合、加速度センサ１０は、携帯電話機に加わる加速度の大きさを振動波形信号として出力するようにしている。その際、加速度センサ１０から出力される振動波形信号は増幅されてノイズ成分が除去されたものとなる。制御部１は、タッチスクリーンＴＳへのタッチ操作中において、携帯電話機に加わる振動を加速度センサ１０によって当該携帯電話機のＸ軸、Ｙ軸の軸周りに回転する方向の加速度として検出することによって、携帯電話機が片手で持たれているのか、両手で持たれているのかを判別するようにしている。なお、タッチセンサ１１は、後述する第２実施形態で説明する。
【００２２】
このように構成された携帯電話機は、表示部７を備える表示部筐体と操作部４を備える操作部筐体とを有し、この操作部筐体と表示部筐体とが開閉可能（折り畳み可能）に取り付けられていると共に、操作部筐体に対して表示部筐体がその表裏が反転可能となるように取り付けられてなる２軸ヒンジタイプの携帯電話機である。この２軸ヒンジタイプの携帯電話機には、表示部筐体の折り畳みを開いた状態で表示部７及び操作部４が露出した状態となるオープンスタイルと、表示部筐体を折り畳んで閉じた状態で表示部７が露出し、かつ操作部４が隠れた状態となるビュースタイルを有している。
【００２３】
図２は、タッチスクリーンＴＳへのタッチ操作中において、携帯電話機に加わる振動として加速度センサ１０によって検出されるＸ軸、Ｙ軸の軸周りに回転する方向の加速度を示した図である。なお、図示の例では、携帯電話機をビュースタイルとした場合を示している。
この加速度センサ１０によってＸ軸、Ｙ軸の軸周りに回転する方向の加速度が検出される毎に、その検出回数を上述の検出回数カウンタＮＣによって計数するようにしている。この検出回数カウンタＮＣは、所定時間（例えば、２秒間）を計測する上述の判定用タイマＪＴがタイムアウトとなるまで（例えば、２秒経過するまで）、所定値以上の加速度（タッチ操作による振動）が検出される毎にその検出回数を計数するもので、この検出回数カウンタＮＣの値が所定値以上の場合、つまり、携帯電話機が不安定な状態で持たれているために上述の所定時間内に行われたタッチ操作（例えば、２回分のタッチ操作）による振動が多くなった場合には、携帯電話機が片手で持たれていると判別するが、検出回数カウンタＮＣの値が所定値未満の場合、つまり、携帯電話機が安定した状態で持たれているために上述の所定時間内に行われたタッチ操作（例えば、２回分のタッチ操作）による振動が少なかった場合には、携帯電話機が両手で持たれていると判別するようにしている。
【００２４】
このように加速度センサ１０からの検出結果（Ｘ軸、Ｙ軸の軸周りに回転する方向の加速度）に基づいて制御部１は、携帯電話機の持ち方を判別し、その持ち方に応じてタッチスクリーンＴＳの一部分にタッチ無効化領域を確保するようにしている。このタッチ無効化領域は、タッチスクリーンＴＳでのタッチ操作（不用意に指が置かれたような場合など）を無効とするために特別に確保された領域である。なお、Ｘ軸の軸周りに回転する方向の加速度を計測する検出回数カウンタと、Ｙ軸の軸周りに回転する方向の加速度を計測する検出回数カウンタとを個別に設けるようにしてもよいが、この実施形態においては、Ｘ軸とＹ軸とに分けずに単一のカウンタでその合計値をカウントするようにしている。
【００２５】
図３は、携帯電話機をビュースタイルとした状態において、携帯電話機が片手で持たれている場合に、タッチスクリーンＴＳの一部分にタッチ無効化領域が確保される様子を説明するための図である。
図３（１）は、ビュースタイルの携帯電話機を片手で持っている状態を示し、その親指がタッチスクリーンＴＳの一部分に置かれて（かかって）触れている状態である。図３（２）は、携帯電話機が片手で持たれていると判別した場合に、タッチスクリーンＴＳの一部分に確保したタッチ無効化領域ＴＩを示し、片手持ちの際に指が触れる可能性の高い領域として、タッチスクリーンＴＳの下端部がタッチ無効化領域ＴＩとして確保され、指を置いてもタッチとはならない安全な領域が確保されたことになる。
【００２６】
図３（３）は、図３（１）と同様にビュースタイルの携帯電話機を片手で持っている状態を示しているが、このタッチスクリーンＴＳ上には、複数の操作ボタン（タッチキー）がマトリックス状の配置されている。ここで、図示のように、その１行目（最上段）から３行目及び５行目の領域は、操作ボタンが配置されている領域となっているが、４行目の領域は操作ボタンが配置されていない空白領域（無表示部分）となっている。図３（４）は、携帯電話機が片手で持たれていると判別された場合に、タッチスクリーンＴＳの一部分に確保したタッチ無効化領域ＴＩを示し、５行目の操作ボタン配置領域を４行目の空白領域（無表示部分）にスクロールすることによって５行目の領域がタッチ無効化領域ＴＩとして確保され、指を置いてもタッチとはならない安全な領域が確保されたことになる。
【００２７】
次に、第１実施形態における携帯電話機の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２８】
図４は、電源投入に応じて実行開始される携帯電話機の動作（本実施形態の特徴的な動作）を説明するためのフローチャートである。
先ず、制御部１は、電源投入操作に応じて所定のメモリをクリアするなどの初期設定を行った後、何らかの操作や着信などの待ち受け状態となる（図４のステップＡ１）。この状態において、電話着信を検出したかを調べたり（ステップＡ２）、操作部４上の押しボタン式のキーやタッチスクリーンＴＳ上のいずれかのキーが操作されたかを調べたり（ステップＡ９）、前回のタッチキー操作から所定時間（例えば、１０秒）が経過したか（タッチ無操作時間は所定時間以上か）を調べたりする（ステップＡ１７）。
【００２９】
いま、電話着信を検出したときには（ステップＡ２でＹＥＳ）、この着信に対する応答操作（オフフック操作）が行われたかを調べ（ステップＡ３）、オフフック操作が行われないまま通信相手側から回線接続が遮断されたときには（ステップＡ３でＮＯ）、ステップＡ２に戻るが、オフフック操作が行われたときには（ステップＡ３でＹＥＳ）、タッチスクリーンＴＳの一部分をタッチ無効化領域ＴＩとして確保しているかを調べる（ステップＡ４）。ここで、タッチ無効化領域ＴＩが確保されているときには（ステップＡ４でＹＥＳ）、このタッチ無効化領域ＴＩを解除することによってタッチスクリーンＴＳを元の状態に復帰させる（ステップＡ５）。そして、通話可能状態とする通話処理を開始させた後（ステップＡ６）、回線を遮断するオンフック操作が行われたかを調べ（ステップＡ７）、オンフック操作が行われたときには（ステップＡ７でＹＥＳ）、回線接続を遮断して通話を終了する終話処理を実行した後（ステップＡ８）、上述のステップＡ２に戻る。
【００３０】
また、操作部４やタッチスクリーンＴＳ上のいずれかのキーが操作されたときには（ステップＡ９でＹＥＳ）、タッチスクリーンＴＳの一部分をタッチ無効化領域ＴＩとして確保しているかを調べる（ステップＡ１０）。ここで、タッチ無効化領域ＴＩが確保されているときには（ステップＡ１０でＹＥＳ）、このタッチ無効化領域ＴＩを解除することによってタッチスクリーンＴＳを元の状態に復帰させる（ステップＡ１１）。そして、操作に応じた処理として、例えば、発信処理などを実行した後（ステップＡ１２）、今回の操作キーは、タッチスクリーンＴＳ上のタッチキーであるかを調べ（ステップＡ１３）、操作部４上の押しボタン式のキーが操作されたときには（ステップＡ１３でＮＯ）、上述のステップＡ２に戻るが、タッチキーが操作されたときには（ステップＡ１３でＹＥＳ）、
現在日時を前回のタッチ操作日時とすることによって前回タッチ操作日時の更新を行う（ステップＡ１４）。
【００３１】
そして、判定済みフラグＦ１は“０”であるかを調べる（ステップＡ１５）。この判定済みフラグＦ１は、タッチスクリーンＴＳへのタッチ操作中に携帯電話機が片手で持たれているか、両手で持たれているかを判定したかを示すもので、判定済みフラグＦ１が“１”で、判定済みであれれば（ステップＡ１５でＮＯ）、上述のステップＡ２に戻る。また、判定済みフラグＦ１が“０”で、判定前であれば（ステップＡ１５でＹＥＳ）、持ち方判別処理の実行に移る（ステップＡ１６）。
【００３２】
図５は、持ち方判別処理（図４のステップＡ１６）を詳述するためのフローチャートである。
先ず、制御部１は、タッチ無操作フラグＦ２を参照し、その値は“１”であるかを調べる（ステップＢ１）。このタッチ無操作フラグＦ２は、タッチスクリーンＴＳ上のタッチキーが前回操作されてから所定時間（例えば、１０秒間）操作されなかったときに“１”となり、その後の最初のタッチキー操作で“０”となるフラグである。言い換えれば、タッチ無操作フラグＦ２は、無操作時間経過後の最初のタッチ操作が行われたか否かを示すフラグである。いま、タッチ無操作フラグＦ２が“１”であれば、タッチキーが所定時間（例えば、１０秒間）無操作状態にあると判断して（ステップＢ１でＹＥＳ）、加速度センサ１０及び判定用タイマＪＴを起動すると共に、検出回数カウンタＮＣをリセットした後（ステップＢ２）、タッチ無操作フラグＦ２を“１”から“０”に変更するが（ステップＢ３）、タッチ無操作フラグＦ２が“０”であれば（ステップＢ２でＮＯ）、上述の各ステップＢ２及びステップＢ３はスキップされる。
【００３３】
そして、タッチスクリーンＴＳへのタッチ操作中において、加速度センサ１０によって当該携帯電話機のＸ軸あるいはＹ軸の軸周りに回転する方向の加速度を検出すると（ステップＢ４でＹＥＳ）、検出回数カウンタＮＣの値をカウントアップした後（ステップＢ５）、判定用タイマＪＴの値が所定時間（例えば、２秒間）に達したか（タッチ無操作時間として所定時間を経過したか）を調べ（ステップＢ６）、所定時間を経過しなければ（ステップＢ６でＮＯ）、この持ち方判別処理から抜けて図４のステップＡ２に移る。いま、前回タッチキーが操作されてから所定時間が経過する前であれば（図４のステップＡ１７でＮＯ）、判定済みフラグＦ１は“０”であるかを調べるが（ステップＡ１５）、この場合、判定済みフラグＦ１は“０”で、持ち方判定前であるから（ステップＡ１５でＹＥＳ）、持ち方判別処理に移る（ステップＡ１６）。
【００３４】
この場合、タッチ無操作フラグＦ２は“０”であるため（図５のステップＢ１でＮＯ）、ステップＢ４に移って、加速度センサ１０によって当該携帯電話機のＸ軸あるいはＹ軸の軸周りに回転する方向の加速度を検出したかを調べる。ここで、前回のタッチキー操作による余韻や片手持ちによる不安定さによる振動（加速度）を検出すると（ステップＢ４でＹＥＳ）、検出回数カウンタの値をカウントアップする（ステップＢ５）。そして、判定用タイマＪＴの値が所定時間（例えば、２秒間）に達するまでは（ステップＢ６）、この持ち方判別処理から抜けて図４のステップＡ２に移り、以下、同様の動作を繰り返すことによって検出回数カウンタの値をカウントアップする（ステップＢ５）。
【００３５】
いま、判定用タイマＪＴの値が所定時間（例えば、２秒間）に達したときには（ステップＢ６でＹＥＳ）、検出回数カウンタＮＣ値は所定値（例えば、１０回）以上かを調べる（ステップＢ７）。ここで、所定値以上であれば、つまり、タッチ操作時に振動数が多ければ（ステップＢ７でＹＥＳ）、携帯電話機を片手で持たれていると判定してその判定結果を一時記憶しておくが（ステップＢ８）、タッチ操作時に振動数が少なく検出回数カウンタＮＣの値が所定値未満であれば（ステップＢ７でＮＯ）、携帯電話機を両手で持たれていると判定してその判定結果を一時記憶しておく（ステップＢ９）。このようにして持ち方の判定が終わると、判定済みフラグＦ１を“１”とした後（ステップＢ１０）、加速度センサ１０及び判定用タイマＪＴを停止すると共に、検出回数カウンタＮＣをリセットする（ステップＢ１１）。そして、この持ち方判別処理から抜けて図４のステップＡ２に移る。
【００３６】
一方、前回タッチキーが操作されてから所定時間（タッチ無操作時間）が経過したときには（図４のステップＡ１７でＹＥＳ）、タッチ無操作フラグＦ２を“１”とした後（ステップＡ１８）、上述の持ち方判別処理で一時記憶した判別結果を読み出し（ステップＡ１９）、携帯電話機を片手で持たれていると判定したかを調べる（ステップＡ２０）。その結果、両手で持たれていると判定したときには（ステップＡ２０でＮＯ）、上述のステップＡ２に戻るが、片手で持たれていると判定したときには（ステップＡ２０でＹＥＳ）、タッチスクリーンＴＳの表示内容を上側にスクロールすることによって無表示部分を生成し、この無表示部分をタッチ無効化領域ＴＩとして確保する（ステップＡ２１）。その後、上述のステップＡ２に戻る。
【００３７】
以上のように、第１実施形態において制御部１は、携帯電話機の持ち方に応じてタッチスクリーンＴＳ上の一部分にタッチ操作を無効とするタッチ無効化領域ＴＩを確保するようにしたので、指を置いてもタッチとはならない安全な領域を確保することができ、携帯電話機を安定して持つことが可能となると共に、親指などを休ませる（指を置く）ことが可能となり、携帯電話機を片手で長時間持ちながらメールや映像などを見る場合に便利なものとなる。
【００３８】
携帯電話機を片手で持っている場合に、タッチスクリーンＴＳ上にタッチ無効化領域ＴＩを確保するようにしたので、携帯電話機を片手でも安定して持つことができる。
【００３９】
タッチスクリーンＴＳへのタッチ操作中に、携帯電話機のＸ軸、Ｙ軸の軸周りに回転する方向の加速度が所定時間以上検出された場合に、片手で持たれていると判別するようにしたので、携帯電話機が不安定な状態で持たれているか（片手で持たれているか）を加速度センサ１０によって容易に判別することができる。
【００４０】
タッチスクリーンＴＳへのタッチ操作が所定時間行われていない場合に、持ち方に応じてタッチ無効化領域ＴＩを確保するようにしたので、タッチ操作を行わず、携帯電話機を片手で長時間持ちながらメールや映像などを見るような場合に、タッチ無効化領域ＴＩを確保することができる。
【００４１】
タッチスクリーンＴＳへのタッチ操作が再開された際に、タッチ無効化領域ＴＩを解除してタッチスクリーンＴＳを元の状態に戻すようにしたので、タッチスクリーンＴＳへの操作を再開するだけで、より広い領域での操作に戻ることができる。
【００４２】
タッチスクリーンＴＳの表示内容を所定の方向にスクロールさせることで操作無効領域ＴＩを確保するようにしたので、現在の表示状態を維持しつつ指を置いてもタッチとはならない安全な領域を確保することができる。
【００４３】
（実施形態２）
以下、本発明の第２実施形態について図６〜図８を参照して説明する。
なお、上述した第１実施形態においては、タッチスクリーンＴＳの一部分（下端部）にタッチ無効化領域ＴＩを固定的に確保するようにしたが、第２実施形態においては、携帯電話機のどの側面が手に持たれたかによってタッチ無効化領域ＴＩを設ける配設位置を変えるようにしたものである。ここで、両実施形態において基本的あるいは名称的に同一のものは、同一符号を付して示し、その説明を省略すると共に、以下、第２実施形態の特徴部分を中心に説明するものとする。
【００４４】
図６は、第２実施形態において、携帯電話機（筐体）のどの側面が片手で持たれたかを検出するタッチセンサ１１の配設位置を説明するための図である。
携帯電話機を構成する筐体（全体が矩形の筐体）の上下左右の側面部には、矩形のタッチスクリーンＴＳの各辺を囲むようにタッチセンサ１１が配設されている。すなわち、筐体の上側面部には、上側タッチセンサ１１が配設され、筐体の下側面部には、下側タッチセンサ１１が配設され、筐体の左側面部には、左側タッチセンサ１１が配設され、筐体の右側面部には右側タッチセンサ１１が配設されている。なお、タッチスクリーンＴＳを囲むように配設された各タッチセンサ１１は、人体の接触を検出する静電容量型のタッチセンサである。
【００４５】
図７は、第２実施形態において携帯電話機のどの側面が持たれたかによってタッチ無効化領域ＴＩが配設される位置を説明するための図である。なお、図示の例では、携帯電話機をビュースタイルとした場合を示している。
図７（１）は、携帯電話機（筐体）の下側面部が片手持ちされた場合で、下側タッチセンサ１１によって筐体の下側面部が持たれたことが検出されると、タッチ無効化領域ＴＩは、タッチスクリーンＴＳの下端部に確保される。図７（２）は、筐体の上側面部が片手持ちされた場合で、上側タッチセンサ１１によって筐体の上側面部が持たれたことが検出されると、タッチ無効化領域ＴＩは、タッチスクリーンＴＳの上端部に確保される。図７（３）は、筐体の右側面部が片手持ちされた場合で、右側タッチセンサ１１によって筐体の右側面部が持たれたことが検出されると、タッチ無効化領域ＴＩは、タッチスクリーンＴＳの右端部に確保される。図７（４）は、筐体の左側面部が片手持ちされた場合で、左側タッチセンサ１１によって筐体の左側面部が持たれたことが検出されると、タッチ無効化領域ＴＩは、タッチスクリーンＴＳの左端部に確保される。
【００４６】
図８は、第２実施形態において、タッチスクリーン一部無効化処理を示したフローチャートであり、一定時間毎（例えば、１秒毎）の割り込みによって実行開始される。
先ず、いずれかのタッチセンサ１１へのタッチを検出したかを調べ（ステップＣ１）、いずれかのタッチセンサ１１にもタッチされなければ（ステップＣ１でＮＯ）、このフローから抜けるが、いずれかのタッチセンサ１１にタッチされたときには（ステップＣ１でＹＥＳ）、タッチされたタッチセンサ１１の数は１つであるか、つまり、筐体が片手持ちされたのかを調べる（ステップＣ２）。
【００４７】
いま、タッチされたタッチセンサ１１の数は２つ以上で、筐体が両手で持たれたときには（ステップＣ２でＮＯ）、このフローから抜けるが、筐体が片手で持たれたときには（ステップＣ２でＹＥＳ）、どのタッチセンサ１１がタッチされたのか（上下左右のいずれのタッチセンサ１１がタッチされたのか）を調べる（ステップＣ３、Ｃ５、Ｃ７）。いま、上側のタッチセンサ１１がタッチされたときには（ステップＣ３でＹＥＳ）、タッチスクリーンＴＳの表示全体を下側に所定エリアだけスクロールして無表示部分を生成し、この無表示部分をタッチ無効化領域ＴＩ（図７（２）参照）として確保する（ステップＣ４）。
【００４８】
また、下側のタッチセンサ１１がタッチされたときには（ステップＣ５でＹＥＳ）、タッチスクリーンＴＳの表示全体を上側に所定エリアだけスクロールして無表示部分を生成し、この無表示部分をタッチ無効化領域ＴＩ（図７（１）参照）として確保する（ステップＣ６）。また、右側のタッチセンサ１１がタッチされたときには（ステップＣ７でＹＥＳ）、タッチスクリーンＴＳの表示全体を左側に所定エリアだけスクロールして無表示部分を生成し、この無表示部分をタッチ無効化領域ＴＩ（図７（３）参照）として確保する（ステップＣ８）。また、左側のタッチセンサ１１がタッチされたときには（ステップＣ７でＮＯ）、タッチスクリーンＴＳの表示全体を右側に所定エリアだけスクロールして無表示部分を生成し、この無表示部分をタッチ無効化領域ＴＩ（図７（４）参照）として確保する（ステップＣ９）。
【００４９】
このようにしてタッチスクリーンＴＳ上にタッチ無効化領域ＴＩが確保されている状態において、上述した第１実施形態と同様に、制御部１は、着信時にオフフック操作が行われると、タッチ無効化領域ＴＩを解除してタッチスクリーンＴＳを元の状態に戻し、また、いずれかの操作が行われると、タッチ無効化領域ＴＩを解除してタッチスクリーンＴＳを元の状態に戻すようにしている。
【００５０】
以上のように、この第２実施形態においては、携帯電話機（筐体）のどの側面が持たれているかを判別し、この判別された側面側にタッチ無効化領域ＴＩを確保するようにしたので、どのような持ち方であってもタッチとはならない安全な領域を確保することができ、携帯電話機を安定して持つことが可能となると共に、親指などを休ませる（指を置く）ことが可能となり、携帯電話機を片手で長時間持ちながらメールや映像などを見る場合に便利なものとなる。
【００５１】
なお、上述した第２実施形態においては、携帯電話機を構成する筐体の上下左右の側面部に、タッチスクリーンＴＳを囲むようにタッチセンサ１１を配設するようにしたが、更に、筐体の四隅の側面部にタッチセンサ１１を配設するようにしてもよい。すなわち、筐体の右上角部が持たれたことを検出する右上側タッチセンサ１１と、筐体の右下角部が持たれたことを検出する右下側タッチセンサ１１と、筐体の左上角部が持たれたことを検出する左上側タッチセンサ１１と、筐体の左下角部が持たれたことを検出する左下側タッチセンサ１１を配設するようにしてもよい。
【００５２】
そして、右上側タッチセンサ１１によって筐体の右上角部が持たれたことが検出された場合には、タッチスクリーンＴＳの右上角部にタッチ無効化領域ＴＩを確保し、右下側タッチセンサ１１によって筐体の右下角部が持たれたことが検出された場合には、タッチスクリーンＴＳの右下角部にタッチ無効化領域ＴＩを確保し、左上側タッチセンサ１１によって筐体の左上角部が持たれたことが検出された場合には、タッチスクリーンＴＳの左上角部にタッチ無効化領域ＴＩを確保し、左下側タッチセンサ１１によって筐体の左下角部が持たれたことが検出された場合には、タッチスクリーンＴＳの左下角部にタッチ無効化領域ＴＩを確保するようにしてもよい。
【００５３】
また、上述した各実施形態においては、タッチスクリーンＴＳの横幅／縦幅に応じた大きさのタッチ無効化領域ＴＩを確保するようにしたが、その幅の半分の大きさであってもよい。また、タッチ無効化領域ＴＩの形状も矩形に限らず、任意であり、台形、三角形、円形など、任意である。
【００５４】
上述した各実施形態においては、２軸ヒンジタイプの携帯電話機に適用したが、折り畳みタイプ、スライドタイプ、スピントップタイプなど任意の筐体構造であってもよく、また、スタイルとして、オープンスタイル、ビュースタイルを例示したが、筐体構造に応じた任意のスタイルであってもよい。また、操作部４を備えず、タッチスクリーンＴＳのみで操作を行うタイプであってもよい。また、スタイルには、そのスタイルに変更されるまでの途中の形態（前後の形態）を含めてもよい。例えば、折り畳みタイプにおいてオープンスタイルとは、完全に折り畳みを開いた状態のみに限らず、その途中の形態（例えば、半開き状態）をも含めてもよい。
【００５５】
上述した各実施形態においては、携帯電話機を例示したが、これに限らず、例えば、パーソナルコンピュータ、ＰＤＡ、デジタルカメラ、音楽プレイヤー、それらの複合機など、任意の端末装置であってもよい。
【００５６】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００５７】
１  制御部
３  記憶部
４  操作部
７  表示部
８  タッチセンサ
９  時計部
１０  加速度センサ
１１  タッチセンサ
Ｆ１  判定済みフラグ
Ｆ２  タッチ無操作フラグ
ＪＴ  判定用タイマ
ＮＣ  検出回数カウンタ
ＴＳ  タッチスクリーン
ＴＩ  タッチ無効化領域
【図１】
2011028603.tif 000003
【図２】
2011028603.tif 000004
【図３】
2011028603.tif 000005
【図４】
2011028603.tif 000006
【図５】
2011028603.tif 000007
【図６】
2011028603.tif 000008
【図７】
2011028603.tif 000009
【図８】
2011028603.tif 000010